(57)【要約】【課題】箱状スピーカを用いて低音域から高音域までレンジの広い周波数特性を持つと共に、音質を向上できるスピーカ装置。【解決手段】箱体４と、箱体４に取付けた振動板５，７と、振動板を分割振動させるエキサイター６，８とを有する箱状スピーカ２，３を備え、二組の箱状スピーカ２，３の箱体室内４ａ，４ｂどうしを連通路９で連通させて両箱体室内４ａ，４ｂの位相干渉を緩和させて音色の制御を可能にする。【効果】分割振動を利用したスピーカであるため、各箱状スピーカの振動板が複数の共振を起こして箱体室内における位相をきちんと揃えておらず、二組の箱状スピーカの箱体室内どうしを連通路で連通させても、両箱体室内の位相が干渉して悪影響を与える現象もなく、両箱体室内の音を良好に混ざり合わせて音質を向上させる。【選択図】図１
2006287545.tif 000002
【特許請求の範囲】
【請求項１】
一部が平板状の振動板からなる箱体と、該振動板の箱体室内側に取付けられ該振動板を分割振動させるエキサイターとからなる箱状スピーカを備えたスピーカ装置であって、二つの前記箱状スピーカを並列させ、該二つの箱状スピーカの箱体室内どうしを連通させる連通路を設けたことを特徴とするスピーカ装置。
【請求項２】
一部又は複数部が平板状の振動板からなる箱体と、該振動板の箱体室内側に取付けられ該振動板を分割振動させる第１および第２のエキサイターとを備えたスピーカ装置であって、前記箱体の内部を仕切壁で区画して第１の箱体室内及び第２の箱体室内を形成し、前記振動板の前記第１の箱体室内側に前記第１のエキサイターを取付け、前記振動板の前記第２の箱体室内側に前記第２のエキサイターを取付け、前記仕切壁に前記第１および第２の箱体室内どうしを連通させる連通路を設けたことを特徴とするスピーカ装置。
【請求項３】
前記箱体の前記振動板と箱体室内を介して対向する面に、受動振動板を設けた請求項１又は２記載のスピーカ装置。
【請求項４】
前記箱体に、箱体室内と外部とを連通する開口部を設けた請求項１，２又は３記載のスピーカ装置。
【請求項５】
左右側面部又は背面部のうちの少なくとも一面が部屋空間に臨む開放面部を有するキッチン設備において、前記開放面部に、請求項２記載のスピーカ装置を備えた機能パネルが付設され、当該機能パネルは、キッチン設備のワークトップ上面より高く突出した上方部に、キッチン設備側へ向かって音を発生させる前記第１のエキサイターを備えると共に、該ワークトップ上面より低い下方部に、キッチン設備から離れる方向へ向かって音を発生させる前記第２のエキサイターを備えたことを特徴とするスピーカ装置付きキッチン設備。
【請求項６】
前記機能パネルは、前記第１又は第２の箱体室内と箱体室外部とを連通する開口部を設けた請求項５記載のスピーカ装置付きキッチン設備。
【発明の詳細な説明】
【技術分野】
【０００１】
本発明は、振動板をエキサイターで分割振動させるスピーカ装置及びこのスピーカ装置からなる機能パネルを付設したキッチン設備に関するものである。
【背景技術】
【０００２】
従来、振動板をエキサイターで分割振動させる平面スピーカは、一方向へ音を放つタイプ（特許文献１）と、前後二方向へ音を放つタイプ（特許文献２）がある。
【特許文献１】特開２００２−２０９２９７公報
【特許文献２】特開２００２−２７５８８公報
【発明の開示】
【発明が解決しようとする課題】
【０００３】
しかし、前記特許文献１，２に記載されている平面スピーカは、一枚の振動板をエキサイターで分割振動させるものであるため、低音域から高音域までレンジの広い周波数特性を持つことができない。そこで、本発明は、振動板をエキサイターで分割振動させるものであって、低音域から高音域までレンジの広い周波数特性を持つと共に、音質を向上できるスピーカ装置及びスピーカ装置付きキッチン設備を提供することを目的とする。
【課題を解決するための手段】
【０００４】
請求項１記載の本発明が採用した手段は、一部が平板状の振動板からなる箱体と、該振動板の箱体室内側に取付けられ該振動板を分割振動させるエキサイターとからなる箱状スピーカを備えたスピーカ装置であって、二つの前記箱状スピーカを並列させ、該二つの箱状スピーカの箱体室内どうしを連通させる連通路を設けたことを特徴とするスピーカ装置である。なお、前記音路の開口面積を変更できるようにして、音色を任意に制御できるようにすることもある。
本発明にあっては、分割振動を利用した二つの箱状スピーカを備えているので、分担する周波数の異なる箱状スピーカを組み合わせて低音域から高音域までレンジの広い周波数特性を持たせることが可能となり、また、分割振動を利用したスピーカであるため、各箱状スピーカの振動板が複数の共振を起こして箱体室内における位相をきちんと揃えておらず、二組の箱状スピーカの箱体室内どうしを連通路で連通させても、両箱体室内の位相が干渉して悪影響を与える現象もなく、両箱体室内の音を良好に混ざり合わせて音質を向上させることができる。
【０００５】
なお、請求項１記載のスピーカ装置において、中高音域用の箱状スピーカと低音域用の箱状スピーカなど、周波数特性の異なる二つの箱状スピーカを用いた場合には、二つの箱状スピーカの箱体室内どうしを連通する連通路によって、両箱体室内で発生した音が混ざり合って、高音域から低音域までレンジの広い音を良好に出すことができる。なお、二つの箱状スピーカの周波数特性を異ならせる手段としては、大きさ、厚さ、材質等が互いに異なる振動板を用いたり、振動特性の互いに異なるエキサイターを用いたり、または、箱体室内の容積を互いに異ならせる等の様々なものがある。
【０００６】
請求項２記載の本発明が採用した手段は、一部又は複数部が平板状の振動板からなる箱体と、該振動板の箱体室内側に取付けられ該振動板を分割振動させる第１および第２のエキサイターとを備えたスピーカ装置であって、前記箱体の内部を仕切壁で区画して第１の箱体室内及び第２の箱体室内を形成し、前記振動板の前記第１の箱体室内側に前記第１のエキサイターを取付け、前記振動板の前記第２の箱体室内側に前記第２のエキサイターを取付け、前記仕切壁に前記第１および第２の箱体室内どうしを連通させる連通路を設けたことを特徴とするスピーカ装置である。なお、前記連通路の開口面積を変更できるようにして、音色を任意に制御できるようにすることもある。
本発明にあっては、分割振動を利用した第１および第２の箱体室内を備えているので、分担する周波数の異なる第１および第２の箱体室内を組み合わせて低音域から高音域までレンジの広い周波数特性を持たせることが可能となり、また、分割振動を利用したスピーカであるため、第１および第２の箱体室内の振動板が複数の共振を起こして各箱体室内における位相をきちんと揃えておらず、第１および第２の箱体室内どうしを連通路で連通させる場合でも、両箱体室内の位相が干渉して悪影響を与える現象もなく、両箱体室内の音を良好に混ざり合わせて音質を向上させることができる。また、第１および第２の箱体室内は、一つの箱体に形成することで一体にできる。
【０００７】
エキサイターの個数を増やすことなく正反対な二方向（前後方向）へ音を放つことができるようにするために請求項３記載の本発明が採用した手段は、前記箱体の前記振動板と箱体室内を介して対向する面に、受動振動板を設けた請求項１又は２記載のスピーカ装置である。
本発明にあっては、エキサイターで分割振動する振動板の音圧を箱体室内を介して受けた受動振動板が振動して、振動板の音を放つ方向と正反対な方向へ音を放つ。
【０００８】
低音域の出力を増大させるために請求項４記載の本発明が採用した手段は、前記箱体に、箱体室内と外部とを連通する開口部を設けた請求項１，２又は３記載のスピーカ装置である。
本発明にあっては、分割振動を利用したスピーカであるため、位相の干渉を考慮することなく開口部を設けることができ、また、箱室内に存在する低音を、開口部から箱体室外へ放出する。
【０００９】
キッチン設備の使用者に対して立体感のある音を聞かせるために請求項５記載の本発明が採用した手段は、左右側面部又は背面部のうちの少なくとも一面が部屋空間に臨む開放面部を有するキッチン設備において、前記開放面部に、請求項２記載のスピーカ装置を備えた機能パネルが付設され、当該機能パネルは、キッチン設備のワークトップ上面より高く突出した上方部に、キッチン設備側へ向かって音を発生させる前記第１のエキサイターを備えると共に、該ワークトップ上面より低い下方部に、キッチン設備から離れる方向へ向かって音を発生させる前記第２のエキサイターを備えたことを特徴とするスピーカ装置付きキッチン設備である。
本発明にあっては、機能パネルの上方部に備えた一方組の箱状スピーカからキッチン設備の前に立つ使用者へ向かって音を放つと共に、機能パネルの下方部に備えた他方組の箱状スピーカから放され拡散して弱くなった音が時間的に遅れて当該使用者へ到達する。
【００１０】
低音域の出力を増大させるためにするために請求項６記載の本発明が採用した手段は、前記機能パネルは、前記第１又は第２の箱体室内と箱体室外部とを連通する開口部を設けた請求項５記載のスピーカ装置付きキッチン設備である。
本発明にあっては、分割振動を利用したスピーカであるため、位相の干渉を考慮することなく開口部を設けることができ、また、箱室内に存在する低音を、開口部から箱体室外へ放出する。
【発明の効果】
【００１１】
請求項１及び２記載の本発明に係るスピーカ装置は、両箱体室内の音を良好に混ざり合わせて音質を制御できるため、好みの音質を放つことができる。
【００１２】
請求項２記載の本発明に係るスピーカ装置は、箱体全体を一体することで取り扱い易くすることができる。
【００１３】
請求項３記載の本発明に係るスピーカ装置は、箱体室外へ音を放つ方向が受動振動板と振動板とでは正反対となるため、エキサイターの個数を増やすことなく正反対な二方向（前後方向）へ音を放つことができるので、指向性が広くなり、スピーカの用途を広げることができる。
【００１４】
請求項４記載の本発明に係るスピーカ装置は、外部へ低音を放出して低音域の出力を増大させて音質を向上させることができる。
【００１５】
請求項５記載の本発明に係るスピーカ装置付きキッチン設備は、キッチン設備の前に立つ使用者に対して、機能パネルの上方部から放された音が直接到達すると共に、機能パネルの下方部から放されて弱くなった音が遅れて到達することにより、使用者は立体感のある音を聞くことができる。
【００１６】
請求項６記載の本発明に係るスピーカ装置付きキッチン設備は、外部へ低音を放出して低音域の出力を増大させて音質を向上させることができる。
【発明を実施するための最良の形態】
【００１７】
本発明に係るスピーカ装置及びスピーカ装置付きキッチン設備を図面に示す実施形態に基づいて説明する。
【００１８】
（第１の実施の形態）
図１及び図２は本発明に係るスピーカ装置（以下、「本発明スピーカ装置」という）の第１の実施の形態を示すものであり、図１は本発明スピーカ装置を示すものであって、（Ａ）は正面図、（Ｂ）は断面した右側面図である。図２はエキサイター及びその取付け構造を示すものであって、（Ａ）は部分断面した平面図、（Ｂ）は背面図である。
【００１９】
本例の本発明スピーカ装置１は、図１に示す如く、周波数特性の異なる第１及び第２の箱状スピーカ２，３を備えている。第１の箱状スピーカ２は、中音域から高音域を分担するもであって、箱体４に取付けた振動板５と、振動板５を分割振動させる第１のエキサイター（励振器）６とを有する。また、第２の箱状スピーカ３は、低音域を分担するもであって、箱体４に取付けた振動板７と、振動板６を分割振動させる第２のエキサイター８とを有する。振動板５（７）は、エキサイター６（８）により積極的に分割振動（分割共振）させて、生じた振動を発音の主体とする。二組の箱状スピーカ２，３は、箱体室内４ａ，４ｂどうしを連通路９で連通させてある。
【００２０】
前記箱状スピーカ２，３は、一個の箱体４で構成して一体化してある。箱体４は、木質系素材又は合成樹脂素材等から成形され、前方の正面板部４ｃと、左右の側板部４ｄ，４ｅと、天板部４ｆと、底板部４ｇと、後方の背面板部４ｉと、内部を箱体室内４ａ，４ｂに仕切る仕切壁４ｈとからなり、これらを接合して構成してある。正面板部４ｃは、振動板５，７のための開口部４ｃ−１，４ｃ−２が設けられ、開口部４ｃ−１，４ｃ−２を覆うようにして振動板５，７を取付けてある。箱体４は、振動板５，７よりも剛性の高い構造となっており、振動板５，７の各振動を減衰させるようにしてある。ただし、振動板５，７の各振動を完全に抑える必要は無く、箱体４へ多少は振動が伝達されることも有り得る。
【００２１】
前記箱体４は、仕切壁４ｈに連通路９を開設して隣接する箱体室内４ａ，４ｂどうしを連通している。箱体４は、仕切壁４ｈに連通路調節具２５を移動自在に配設し、連通路調節具２５の位置調節で連通路９の開口面積を変更できるようにして、音色を任意に制御できるようにすることもある。連通路調節具２５は、箱体４の外側から移動調節できるようにすることもある。なお、通常のピストン式のスピーカでは、二つの箱体室内で出た音が互いに打ち消しあうことがないように、二つの箱体室内の位相を考慮して連通路の位置や大きさ等を設計する必要があり、設計上の制限があった。ところが、本発明スカピーカ装置１では、エキサイターによる振動板の分割振動（多くの複雑な共振を起こして細かく波打つように振動）を利用しているため、箱体室内４ａ，４ｂの位相を考慮することなく、箱体室内４ａ，４ｂどうしを連通させることができる。したがって、隣接する箱体室内４ａ，４ｂどうしを連通させる連通路９を設けるにあたり、位相を考慮した設計上の制限が無く、設計の自由度が広がる。
【００２２】
前記振動板５，７は、矩形，円形又は楕円等の任意の外面形状を有するものが用いられ、詳細図は省略したが、前後に相対向して配置される２枚のフィルム状の表層振動部材の間にハニカム構造の芯材を挟装してなる軽量で高剛性のものが用いられる。表層振動部材には、カーボンやケプラー等の高硬度で耐衝撃性に優れた素材を用いることが好ましく、且つ芯材には軽量なアルミニウムを用いることが好ましいが、また、振動板５，７は、このようなハニカム構造を有するものに何ら限定されるものではなく、合成樹脂板やベニア板などを使用することができ、なかでも発泡層の外面に表層振動部材を一体で成形したものは、同じく軽量で高剛性のものが得られ、且つ優れた音響特性が維持できる点で好ましい。
【００２３】
前記振動板５を駆動するエキサイター６は、図２に示す如く、入力された音信号の強さに応じて振動出力部６ａが移動するものであり、ボイスコイル１４を備えたものが用いられている。エキサイター６は、ボビン１３に巻装したボイスコイル１４と、ボイスコイル１４との間で磁気ギャップを形成する磁気回路１６とを備え、ボイスコイル１４に音響再生信号が流れると、その強さに応じてボイスコイル１４と共にボビン１３がピストン運動し、ボビン１３の先端側の振動出力部１７（６ａ）に当接する振動板５を振動させて音を再生するものである。本例のエキサイター６は、ヨーク１０と、ヨーク１０の中央に取付けたプレート１１付き磁石１２と、磁石１２の外周に嵌装したボビン１３と、ボビン１３の外周に巻いたボイスコイル１４と、ヨーク１０とボビン１３を連結するダンパー１５と、ボビン１３の先端側に設けた振動出力部１７（６ａ）と、キャンセルマグネット１８と、ボイスコイル用端子１９を備えている。前記エキサイター６は、振動出力部１７（６ａ）と振動板５の室内側面５ａとの間に、木質，セラミック質等の音質調整具２０を配置することもある。前記振動板７を駆動するエキサイター８は、前記エキサイター６と同様に構成したものが用いられる。振動板５を駆動するエキサイター６は、中音域から高音域の再生に優れたものが選択され、振動板７を駆動するエキサイター８は、低音域の再生に優れたものが選択される。
【００２４】
前記エキサイター６（８）は、振動板５（７）に接着剤、粘着剤又はビス等で取着した支持具２１に、押圧具２２を介して取付けられる。押圧具２２は、板バネやコイルバネ等からなり、振動板５（７）の室内側面５ａ（７ａ）に振動出力部１７（６ａ又は７ａ）を適度の押圧力で押圧するようにしてある。本例の押圧具２２は、バネ板材２２ａに、同心である複数の仮想円に沿って並列する複数の円弧状切欠き２２ｂを開設して、隣接する切欠き２２ｂ，２２ｂの間に設けた連結部２２ｃでバネ力を発揮するようにしたものである。なお、前記エキサイター６（８）は、支持具２１を用いることなく、振動板５（７）の室内側面５ａ（７ａ）に振動出力部１７（６ａ又は７ａ）を接着等で接合することもある。エキサイター６（８）は、箱体４の外側に露出するターミナル２３，２３（図１（Ｂ）参照）にリード線（図示略）で結線してある。
【００２５】
前記低音域を分担する箱状スピーカ３は、図１に示す如く、振動板７から箱体室内４ｂへ放出される音を箱体室外へ放出する開口部２４を備え、箱体室内４ｂに存在する音波を箱体室外へ放出して、低音域の出力を増大させるようにしてある。なお、箱状スピーカ３は、開口部２４を省略して密閉式とすることもある。
【００２６】
本例の本発明スピーカ装置１は、周波数特性の異なる二組の箱状スピーカ２，３を組み合わせて低音域から高音域までレンジの広い周波数特性を持たせることが可能となり、また、二組の箱状スピーカ２，３の箱体室内４ａ，４ｂどうしを連通路９で連通させることで、音色の制御が可能となる。更に、本例の本発明スピーカ装置１は、二組の箱状スピーカ２（３）の振動板５（７）をエキサイター６（８）で分割振動させて音を面状に放つため、指向性が広くなってクリアーに聞こえるリスニング領域を広して、不快感なく自然と内容を聞きとることができる。また、本例の本発明スピーカ装置１は、二組の箱状スピーカ２（３）の箱体どうしを一体とすることで、全体を一体にして扱い易くできる。
【００２７】
（第２の実施の形態）
図３は本発明スピーカ装置の第２の実施の形態を示すものであり、（Ａ）は正面図、（Ｂ）は断面した右側面図である。
【００２８】
本例の本発明スピーカ装置３１が前記第１の実施の形態に係る本発明スピーカ装置１（図１参照）と相違する点は、箱状スピーカ２が、その箱体室内４ａを介して振動板５と対向する位置に、箱体室内４ａと箱体室外とに仕切る受動振動板３２を設けると共に、箱状スピーカ３が、その箱体室内４ｂを介して振動板７と対向する位置に、箱体室内４ｂと箱体室外に仕切る受動振動板３３を設けたことである。本例の本発明スピーカ装置３１において、この相違点以外の構成については、本発明スピーカ装置１（図１参照）と実質的に同一であり、同一の構成部材等を同一の符号で示している。
【００２９】
箱体４は、後方の背面板部４ｉに、受動振動板３２，３３のための開口部４ｉ−１，４ｉ−２を設け、開口部４ｉ−１，４ｉ−２を覆うようにして受動振動板３２，３３を取付けてある。箱状スピーカ２は、エキサイター６で分割振動する振動板５の音圧を箱体室内４ａを介して受けた受動振動板３２が振動して、振動板５の音を放つ方向（前方）と正反対な方向（後方）へ音を放つ。また、箱状スピーカ３は、エキサイター８で分割振動する振動板７の音圧を箱体室内４ｂを介して受けた受動振動板３３が振動して、振動板７の音を放つ方向（前方）と正反対な方向（後方）へ音を放つ。本例の本発明スピーカ装置３１は、箱体室外へ音を放つ方向が、受動振動板３２（３３）と振動板５（７）とで正反対であるため、エキサイター６，８の個数を増やすことなく正反対な二方向（前後方向）へ音を放つようにして、リスニング領域を広くすることができる。
【００３０】
本例の本発明スピーカ装置３１は、箱状スピーカ２，３の振動板５，７を前側に配置すると共に受動振動板３２，３３を後側に配置した態様であるが、この配置の態様に限定するものではなく、振動板５，７の何れか一方を後側に配置し、後側に配置した振動板５（又は７）と対となる受動振動板３２（又は３３）を前方に配置する態様も勿論可能である。
【００３１】
（第３の実施の形態）
図４は本発明スピーカ装置の第３の実施の形態を示すものであり、（Ａ）は正面図、（Ｂ）は断面した右側面図である。
【００３２】
本例の本発明スピーカ装置４１が前記第１の実施の形態に係る本発明スピーカ装置１（図１参照）と相違する点は、前後左右へ音を放つように、箱状スピーカ２及び箱状スピーカ４の各々が振動板とエキサイターとの組合せを複数組づつ備えたことである。本例の本発明スピーカ装置４１において、この相違点以外の構成については、本発明スピーカ装置１（図１参照）と実質的に同一であり、同一の構成部材等を同一の符号で示している。
【００３３】
箱状スピーカ２は、箱体４の正面板部４ｃ、側板部４ｄ，４ｅ及び背面板部４ｉの箱室内４ａに面する箇所に、振動板５及びエキサイター６からなる振動ユニット２ａの四組を取付けてある。箱状スピーカ２は、四組の振動ユニット２ａの各エキサイター６に、同位相の音響再生信号が供給されるようになっている。また、箱状スピーカ３は、箱体４の正面板部４ｃ、側板部４ｄ，４ｅ及び背面板部４ｉの箱室内４ｂに面する箇所に、振動板７及びエキサイター８からなる振動ユニット３ａの四組を取付けてある。箱状スピーカ３は、四組の振動ユニット３ａの各エキサイター８に、同位相の音響再生信号が供給されるようになっている。箱状スピーカ３は、正面板部４ｃ、側板部４ｄ，４ｅ及び背面板部４ｉの各々に、箱体室内４ｂに通じる開口部２４を備えている。なお、箱状スピーカ３は、開口部２４を省略して密閉式とすることもある。
【００３４】
本例の本発明スピーカ装置４１は、箱状スピーカ２が各振動ユニット２ａの振動板５をエキサイター６で分割振動させると同時に、箱状スピーカ３が各振動ユニット３ａの振動板７をエキサイター８で分割振動させて、音を前後左右の方向へ面状に放つため、クリアーに聞こえるリスニング領域が格段と広くなり、不快感なく自然と内容を聞きとることができるようになる。
【００３５】
（第４の実施の形態）
図５は本発明スピーカ装置の第４の実施の形態を示すものであり、（Ａ）は正面図、（Ｂ）は断面した右側面図である。
【００３６】
本例の本発明スピーカ装置５１が前記第２の実施の形態に係る本発明スピーカ装置３１（図３参照）と相違する点は、箱状スピーカ２，３を構成する箱体を別個独立させた箱体５２，５３で形成し、両箱体５２，５３の箱体室内５２ａ，５３ａをパイプからなる連通路９で連通したことである。この相違点以外の構成については、本発明スピーカ装置３１と実質的に同一であり、同一の構成部材等を同一の符号で示している。
【００３７】
本例の本発明スピーカ装置５１は、別個独立した箱体５２，５３を連結具５４で連結して、箱体５２，５３が分離しないようにしてある。
【００３８】
（第５の実施の形態）
図６乃至図９は本発明の第５の実施の形態に係るスピーカ装置付きキッチン設備（以下「本発明キッチン設備」という）を示すものであり、図６はスピーカ装置付きキッチン設備を左前斜め上方からみた斜視図である。図７は本発明キッチン設備の主要部を拡大して示すものであって、（Ａ）は正面図、（Ｂ）は右側面図である。図８は本発明キッチン設備に付設する機能パネル（本発明スピーカ装置）を拡大して示すものであって、（Ａ）は左側面図、（Ｂ）は（Ａ）のｂ−ｂ線における断面図、（Ｃ）は（Ａ）のｃ−ｃ線における断面図である。図９は機能パネルを拡大して示すものであって、（Ａ）は右側面図、（Ｂ）は（Ａ）のｂ−ｂ線における断面図である。
【００３９】
本例の本発明キッチン設備６０は、図６に示す如く、調理等を行う作業領域（キッチンＤ側）と、食事等を行う非作業領域（リビングルームＬ側）との間に設置される対面式のフロアキャビネットであって、キャビネット部６２の上面部に形成されたワークトップ６１には、吐水栓６４を有するシンク６３やガスコンロ等の加熱調理器６５が設けられている。
【００４０】
前記本発明キッチン設備６０は、一方の側面部（図示する例では左側面部）に、音響の出力装置を備える機能パネル７０を付設したところを特色とする。機能パネル７０に音響の出力装置を具備させたので、ワークトップ６１の作業領域を全く損なうことなく、音響の出力機能を付与することができる。このキッチン設備６０の開放された一側面部に機能パネル７０を取り付ける構成は、躯体壁面、ワークトップ６１又はキャビネット部６２に出力装置を組み込む場合に比べて、既設のキッチン設備への適用が簡単であるという利点を有している。
【００４１】
前記機能パネル７０は、その高さ寸法Ｈが、図６及び図７に示す如く、ワークトップ６１の上面位置より高く設定され、平面スピカーを配置可能な高さとなっている。但し、あまり高くしすぎると、作業者が作業領域（キッチン）から機能パネル７０の後方側領域（リビングルーム等）を見渡すのに支障をきたし、対面式キッチン設備６０の開放性が損なわれる。このような観点から、作業者（女性である場合が多い）の一般的な身長を勘案して、機能パネル７０の高さ寸法Ｈは１５００ｍｍ以下好ましくは１２００ｍｍ以下に設定するのがよい。
【００４２】
前記機能パネル７０に備えられる音響の出力装置は、図７に示す如く、音響出力部であるスピーカ装置７１と、音声信号の調整・増幅等を行う制御器８０とで構成される。機能パネル７０は、キッチン設備６０のワークトップ上面より高く突出した上方部に、キッチン設備６０側へ向かう方向（右方向）へ音を放つ一方組の箱状スピーカ７２を設けると共に、キッチン設備６０のワークトップ上面より低い下方部に、キッチン設備６０から離れる方向（左方向）へ向かって音を放つ他方組の箱状スピーカ７３を設けてある。
【００４３】
前記機能パネル７０は、図８及び図９に示す如く、枠体７４と、枠体７４の左右外側面に接合した左右側板７５，７６とからなり、上方の箱体７０Ａと下方の箱体７０Ｂとを一体に形成してある。枠体７４は、上下部７４ａ，７４ｂ、前後部７４ｃ，７４ｄ及び仕切部７４ｅで枠組みしてある。枠体７４は、上部７４ａと仕切部７４ｅとの間に区画部７４ｆ，７４ｇを設けて、上方の箱体７０Ａの内部を複数室に区画するか、図示は省略したが、区画部７４ｆ，７４ｇを設けずに上部７４ａと仕切部７４ｅとの間を一室に形成してある。枠体７４は、木質系素材又は合成樹脂素材等から成形され、左右側板７５，７６の後述する振動板部７５ａ，７６ａから伝達する振動を抑制する剛性の構造となっている。殊に、枠体７４は、仕切部７４ｅの高さ寸法を大きくして、上下の箱体７０Ａ，７０Ｂの間で振動が伝達するのを押さえるようにしてある。機能パネル（箱体）７０は、内部を仕切部７４ｅで区画して、上方の第１の箱体室内７０ａと下方の第２の箱体室内７０ｂを形成してある。
【００４４】
前記左側板７５は、図８に示す如く、下方の箱体７０Ｂの室内７０ｂに面する箇所が振動板部７５ａとなり、また、前記右側板７６は、上方の箱体７０Ａの室内７０ａに面する箇所が振動板部７６ａとなる。左右の側板７５，７６は、前述の如く相対向して配置される２枚のフィルム状の表層振動部材の間にハニカム構造の芯材を挟装してなる軽量で高剛性のもの、合成樹脂板又はベニア板などからなる。左右の側板７５，７６は、振動板部７５ａ，７６ａの材質や板厚み等を異なるようにして、上下の箱体７０Ａ，７０Ｂを形成する部分の音特性が異なるようにすることもある。左右の側板７５，７６は、水拭き清掃等を考慮して、耐水性の表面仕上にすることが好ましい。
【００４５】
なお、前記箱状スピーカ７３は、キャビネット部６２（図６参照）側へ向けて音を放つように、右側板７６の箱体室内７０ｂに面する箇所を受動振動板７６ｂとし、第１のエキサイター６で分割振動する振動板部７５ａの音圧を箱体室内７０ｂを介して受けた受動振動板７６ｂが分割振動して、振動板部７５ａの音を放つ方向（左方向）と正反対な方向であるキャビネット側へ向かう方向（右方向）へ音を放つように構成することある。逆に、前記箱状スピーカ７３は、右側板７６の箱体室内７０ｂに面する箇所を振動させないように、板厚みを増大させる等して、振動し難い剛性とすることもある。
【００４６】
本例の前記箱状スピーカ７２，７３は、分担する周波数帯域が異なるものである。すなわち、一方組（上方）の箱状スピーカ７２は、中音域から高音域を分担するもであって、上方の箱体７０Ａの右側板７６の振動板部７６ａをエキサイター６で分割振動させるようにしてある。また、他方組（下方）の箱状スピーカ７３は、低音域を分担するもであって、下方の箱体７０Ｂの左側板７５の振動板７５ａを第２のエキサイター８で分割振動させるようにしてある。
【００４７】
本例のスピーカ装置７１は、箱状スピーカ７２，７３の箱体室内７０ａ，７０ｂどうしを連通路７９で連通させてある。スピーカ装置７１は、エキサイターによる振動板の分割振動を利用しているため、箱体室内７０ａ，７０ｂの位相を考慮することなく、箱体室内７０ａ，７０ｂどうしを連通させることができる。したがって、隣接する箱体室内７０ａ，７０ｂどうしを連通させる連通路７９を設けるにあたり、位相を考慮した設計上の制限が無く、設計の自由度が広がる。
【００４８】
本例の低音域を分担する箱状スピーカ７３は、図８に示す如く、振動板部７５ａから箱体室内７０ｂへ放出された音を箱体室外へ放出する開口部７７を備え、箱体室内７０ｂに存在する音波を、開口部７７から箱体室外へ音を放して、低音域の出力を増大させるようにしてある。なお、箱状スピーカ７３は、開口部７７を省略して密閉式とすることもある。
【００４９】
前記上方の箱状スピーカ７２は、キッチン作業領域に居る作業者へ向けて中音高音域の音を提供し、また、前記下方の箱状スピーカ７３は、キッチン作業領域と反対側の方向へ低音域の音を放つ。箱状スピーカ７３から放された低音域の音は、その一部が拡散してキッチン作業領域へ伝達し、作業者へ提供される。そのため、キッチン作業領域に居る作業者は、箱状スピーカ７２から放される中音高音域と箱状スピーカ７３から放される低音域とを併せて聞くことで、立体感の有る音響を楽しむことができる。
【００５０】
前記制御器８０の配置の一例としては、図８に示すように、その主要部を機能パネル７０の前記上方の箱体室内７０ａ内に組み込み、操作面８０ａを機能パネル７０の外側に臨ませることが考えられる。本例では、機能パネル７０は、図６に示す如く、制御器８０の操作面８０ａを臨ませた箇所に、ＣＤプレーヤ等の音響再生機器８６や、ＣＤ等の音響記録媒体８７を収納できる収納部Ｓを形成した。この収納部Ｓ内に、出力装置の操作部となる電源スイッチ８１や音量制御用のボリューム調整器８２、音響再生機器８６と配線接続するための入力部となる入力端子８３、及び、音響再生機器８６や音響記録媒体８７の姿勢を保持するためのホルダー８４，８４が設けられる。本例では、制御器８０の操作部や入力部を有する操作面８０ａ、及び、音響再生機器８６を配置する収納部Ｓを、機能パネル７０のキッチン作業側と反対となる左面側に設けたから、キッチン作業中に生じる水・油・食材等の飛沫がこれらに付着するおそれがない。よって出力装置の制御器８０や音響再生機器８６が、汚れたり故障したりするのを防止することができ、また必要時に清掃するのも容易である。なお収納部Ｓを、上記操作面８０ａとは別の箇所に形成することも妨げない。
【００５１】
本例の本発明キッチン設備６０は、開放されている左右側面部の一方又は両方に、スピーカ装置７１の箱状スピーカ７２，７３を備える機能パネル７０を設けるので、ワークトップ６１上面のスペースを犠牲にすることがない。すなわちワークトップ６１上面を、調理等の作業用スペース及び食材・調理器具等の仮置き場所として有効に利用することが可能である。機能パネル７０の設置箇所をキッチン設備における開放面部としたから、施工が簡単であり、機能パネル７０を既設のキャビネット部６２に後から付設するのが可能である。機能パネル７０の上端部をワークトップ６１上面より高く設定したので、作業中に生じる水・油・食材等の飛沫が、機能パネル７０の反対側（キッチン設備に面しない側）領域に飛散するのを防止できる。しかも機能パネル７０の上方領域を開放したので、キッチン設備の開放性を損なうことがなく、作業者から機能パネル７０の反対側（キッチン設備に面しない側）に位置するリビングルーム等の見通しが良い。機能パネル７０の反対側（キッチン設備に面しない側）に水と接すると故障や不調を生じやすい制御器８０の操作部及び／又は入力部を配置したので、キッチンでの作業中に生じる水・油・食材等の飛沫が上記操作部及び／又は入力部に付着するおそれをなくせる。
【００５２】
（第６の実施の形態）
図１０は本発明の第６の実施の形態に係る本発明キッチン設備を示すものであって、（Ａ）は左前斜め上方からみた斜視図、（Ｂ）は背面図である。
【００５３】
本例の本発明キッチン設備９０は、前記機能パネル７０を、キャビネット部６２の背面部に設けるたものである。本例では、キャビネット部６２の背面部と機能パネル７０との間に適当な摺動構造を設け、機能パネル７０をキャビネット部６２に沿って間口方向に移動可能としてある。これにより、キッチン作業者が音響を聞くのに最も適した位置へ、機能パネル７０を配置することが可能となる。また不使用には、作業者がリビングルーム等を目視するのに障害とならない位置へ機能パネル７０を移動させることができる。なお施工状況に応じ、キャビネット部６２の背面部に、機能パネル７０を固定して配置することも妨げない。
【００５４】
（第７の実施の形態）
図１１は本発明の第７の実施の形態に係る本発明キッチン設備を示すものであって、（Ａ）は一部破断して示す正面図、（Ｂ）は一部破断して示す右側断面図である。
【００５５】
本例の本発明キッチン設備１００は、シンク６３を備えワークトップ上面を形成するカウンター１０１の下方を開放して下方開放空間Ｅを形成したものであり、前記本発明キッチン設備１００は、カウンター１０１の一方の側面部（図示する例では左側面部）に、機能パネル７０を付設してある。機能パネル７０に備えたスピーカ装置７１の箱状スピーカ７２，７３は、カウンター１０１の上下外側へ音を放つように、カウンター側に面する側板（右側板）７６の上方の振動板部７６ａをエキサイター６で分割振動させて中高音域を放ち、下方の振動板部７６ｂをエキサイター８で分割振動させて低音域の音を放つようにしてある。機能パネル７０は、下方の振動板部７６ｂをエキサイター６で分割振動させ以外は、前記第６の実施の形態（図８，９参照）で説明した構造と実質的に同一であるため、ここでの詳細説明を省略する。
【００５６】
本発明キッチン設備１００は、カウンター１０１の支持を、独立した脚部または枠組みした架台等で行い、機能パネル７０を付設する箇所以外のカウンター１０１の下方を開放するようにしてある。本発明キッチン設備１００は、カウンター１０１の前後に幕板１０２，１０３を設けることもある。機能パネル７０は、パネル下端を床面Ｆに当接させて設置してあるが、これに限定されるものものではなく、図示は省略したが、パネル下端の位置をカウンター１０１と床面Ｆの間の中間高さ位置とし、カウンター１０１を支持する脚部または架台等に付設させることも勿論可能である。
【００５７】
本例の本発明キッチン設備９０のキッチン作業領域に居る作業者は、箱状スピーカ７２から放される中音高音域と箱状スピーカ７３から放される低音域とを併せて聞くことで、立体感の有る音響を楽しむことができる。このとき、キッチン設備９０の前に立つ使用者に対して、一方組の箱状スピーカ７２から放された音が直接到達すると共に、他方組の箱状スピーカ７３から放されて弱くなった音が遅れて到達することにより、使用者は立体感のある音を聞くことができる。
【図面の簡単な説明】
【００５８】
【図１】本発明の第１の実施の形態を示すものであり、（Ａ）は本発明スピーカ装置の正面図、（Ｂ）は断面した右側面図である。
【図２】第１の実施の形態におけるエキサイター及びその取付け構造を示すものであって、（Ａ）は部分断面した平面図、（Ｂ）は背面図である。
【図３】本発明の第２の実施の形態を示すものであり、（Ａ）は本発明スピーカ装置の正面図、（Ｂ）は断面した右側面図である。
【図４】本発明の第３の実施の形態を示すものであり、（Ａ）は本発明スピーカ装置の正面図、（Ｂ）は断面した右側面図である。
【図５】本発明の第４の実施の形態を示すものであり、（Ａ）は本発明スピーカ装置の正面図、（Ｂ）は断面した右側面図である。
【図６】本発明の第５の実施の形態に係る本発明キッチン設備を左前斜め上方からみた斜視図である。
【図７】第５の実施の形態における本発明キッチン設備の主要部を拡大して示すものであって、（Ａ）は正面図、（Ｂ）は右側面図である。
【図８】第５の実施の形態において、本発明キッチン設備に付設する機能パネル（本発明スピーカ装置）を拡大して示すものであって、（Ａ）は一部破断して示す左側面図、（Ｂ）は（Ａ）のｂ−ｂ線における断面図、（Ｃ）は（Ａ）のｃ−ｃ線における断面図である。
【図９】第５の実施の形態において、機能パネルを拡大して示すものであって、（Ａ）は一部破断して示す右側面図、（Ｂ）は（Ａ）のｂ−ｂ線における断面図である。
【図１０】本発明の第６の実施の形態に係る本発明キッチン設備を示すものであって、（Ａ）は左前斜め上方からみた斜視図、（Ｂ）は背面図である。
【図１１】本発明の第７の実施の形態に係る本発明キッチン設備を示すものであって、（Ａ）は一部破断して示す正面図、（Ｂ）は一部破断して示す右側断面図である。
【符号の説明】
【００５９】
２，３…箱状スピーカ、４…箱体、４ａ，４ｂ（７０ａ，７０ｂ）…箱体室内、５，７…振動板、６，８…エキサイター、９…連通路、６０…本発明キッチン設備、６１…ワークトップ、７０…機能パネル、７１…スピーカ装置、７２…一方の箱状スピーカ、７３…他方の箱状スピーカ、７７…開口部、７９…連通路、６０（９０，１００）…本発明キッチン設備
【図１】
2006287545.tif 000003
【図２】
2006287545.tif 000004
【図３】
2006287545.tif 000005
【図４】
2006287545.tif 000006
【図５】
2006287545.tif 000007
【図６】
2006287545.tif 000008
【図７】
2006287545.tif 000009
【図８】
2006287545.tif 000010
【図９】
2006287545.tif 000011
【図１０】
2006287545.tif 000012
【図１１】
2006287545.tif 000013